(57)【要約】【課題】鉛直方向に対して傾斜した軸を中心に移動していく太陽に対応して、容易にパラソルの向きを調整することができ、かつ、簡易な構成で低コストで製造することができるパラソルスタンドを提供する。【解決手段】パラソルスタンド５は、台部構成部１２、２０からなる台部１０と、連結部３０と、連結部３０を台部１０に固定するための締付け部４０と、連結部３０に固定される柄支持部５０を有し、連結部３０は、貫通穴３２ａが設けられた第１板状部３２と、第１板状部３２に対して屈曲した第２板状部３４を有し、第２板状部３４には、柄支持部５０の軸部６０に螺合するネジ穴３４ａが設けられている。【選択図】図２
0003231477.tif 000002
【実用新案登録請求の範囲】
【請求項１】
パラソルスタンドであって、
台部（１０）と、パラソルの柄を支持する柄支持部（５０）と、台部と柄支持部を連結する連結部（３０）と、連結部を台部に固定するための締付け部（４０）とを有し、
締付け部は、ネジ溝が周設された軸部（４４）を有し、
連結部は、軸部を挿通するための貫通穴（３２ａ）が設けられた第１板状部（３２）と、第１板状部から連設され、第１板状部に対して屈曲した第２板状部（３４）を有し、第１板状部の上面と第２板状部の上面は鈍角をなし、
台部には、台部の上面側から軸部を螺合するためのネジ穴（１５ａ、１７ａ）が、台部の上面に対して垂直方向に設けられ、
連結部が台部に取り付けられた状態では、軸部は、台部の上面に第１板状部の下面が接した状態で、第１板状部の貫通穴に上方から挿通されているとともに、台部のネジ穴に螺合され、
柄支持部は、第２板状部の上面に対して着脱自在となっていることを特徴とするパラソルスタンド。
【請求項２】
パラソルスタンドであって、
台部（１０）と、パラソルの柄を支持する柄支持部（５０）と、台部と柄支持部を連結する連結部（３０）と、連結部を台部に固定するための締付け部（４０）とを有し、
台部には、台部の上面から上方に突出した軸部でネジ溝が周設された軸部が、台部の上面に対して垂直方向に設けられ、
連結部は、軸部を挿通するための貫通穴（３２ａ）が設けられた第１板状部（３２）と、第１板状部から連設され、第１板状部に対して屈曲した第２板状部（３４）を有し、第１板状部の上面と第２板状部の上面は鈍角をなし、
締付け部には、軸部と螺合するためのネジ穴が設けられ、
連結部が台部に取り付けられた状態では、軸部は、台部の上面に第１板状部の下面が接した状態で、第１板状部の貫通穴に下方から挿通されて第１板状部の上面から上方に突出しているとともに、締付け部が第１板状部の上側で軸部に螺合され、
柄支持部は、第２板状部の上面に対して着脱自在となっていることを特徴とするパラソルスタンド。
【請求項３】
柄支持部は、柄支持部を第２板状部に固定するための第２軸部で、下方に突出するとともにネジ溝が周設された第２軸部（６０）を有し、連結部の第２板状部には、第２軸部が螺合する第２ネジ穴（３４ａ）が設けられ、第２ネジ穴の軸線（Ｊ３）は、第２板状部の上面に対して略直角に形成され、連結部が台部に取り付けられた状態では、第２ネジ穴の軸線は、台部の上面に対する垂直方向に対して傾斜していることを特徴とする請求項１又は２に記載のパラソルスタンド。
【請求項４】
柄支持部は、柄を挿入するための柄挿入部（５２）を有し、柄挿入部に挿入された柄を柄挿入部に固定するための固定手段（５６、５７、７０、８０）が設けられ、上記第２軸部は、柄挿入部の下端から突出していることを特徴とする請求項３に記載のパラソルスタンド。
【考案の詳細な説明】
【技術分野】
【０００１】
本考案は、パラソルスタンドに関するものであり、特に、パラソルの柄を傾斜させた状態でパラソルを取り付けることができるパラソルスタンドに関するものである。
【背景技術】
【０００２】
従来におけるパラソルの柄を傾斜させた状態でパラソルを取り付けることができるものとしては、特許文献１に記載のパラソルの柄の角度調整装置や、特許文献２に記載のパラソルスタンドが存在する。
【０００３】
特許文献１に記載のパラソルの柄の角度調整装置においては、支柱１に第１保持体２の円弧部２ａが取り付けられ、第２保持体３の円弧部３ａにパラソル４の柄５が保持され、第１保持体２と第２保持体３に円弧部と直交する方向にネジ杆６が挿通されてナット７で締め付けられる。そして、第１保持体２の一方の腕部２ｂの外面に角形の凹部２ｆが形成されて他方の腕部２ｃの外側に凹凸２ｇが形成され、第２保持体３の一方の腕部３ｂの外側に凹凸３ｆが形成されて他方の腕部３ｃの外面は平面３ｇに形成されている。ネジ杆６は角形の頭部６ａと軸部６ｂと螺子部６ｃで形成され、ナット７はナット部７ａと腕部７ｂで形成されている。
【０００４】
また、特許文献２のパラソルスタンドにおいては、万力状のバイス部７と、傘軸４を支持する傘受部８とでスタンドが構成され、バイス部７のバイスフレーム１０にボス１７を突設し、その内部に球面座３０が設けられている。傘受部８は連結軸２３と球軸２５とを有し、球軸２５を球面座３０で軸支することにより、傘受部８を全方位へ傾動できるようになっている
【先行技術文献】
【特許文献】
【０００５】
【特許文献１】特開２００７−１９５７７３号公報
【特許文献２】特開２０００−２３７２１号公報
【考案の概要】
【考案が解決しようとする課題】
【０００６】
しかし、特許文献１の角度調整装置においては、水平面に対して直角な垂直面に沿った方向への角度は調整できるものの、パラソルの柄が傾斜した状態で、水平方向に回転させることができないという問題があった。
【０００７】
すなわち、魚釣り等でパラソルスタンドを使用する際には、日本のような緯度の地域においては、太陽は、鉛直方向に対して傾斜した軸を中心に移動していくため、特許文献１の角度調整装置では、太陽の移動に対応してパラソルの向きを変えるには、支柱１を回転させなければならず、特許文献１の角度調整装置自体では対応することができない。
【０００８】
また、特許文献２のパラソルスタンドにおいては、球面座３０と球軸２５が設けられているので、鉛直方向に対して傾斜した軸を中心に移動していく太陽に対応して、パラソルの向きを調整することは比較的容易にできるが、ボス１７の内部に球面座３０を設け、傘受部８に球軸２５を設けた構成であるので、構造が複雑で製造にコストが掛かるという問題がある。
【０００９】
そこで、本考案は、鉛直方向に対して傾斜した軸を中心に移動していく太陽に対応して、容易にパラソルの向きを調整することができ、かつ、簡易な構成で低コストで製造することができるパラソルスタンドを提供することを目的とするものである。
【課題を解決するための手段】
【００１０】
本考案は上記問題点を解決するために創作されたものであって、第１には、パラソルスタンドであって、台部（１０）と、パラソルの柄を支持する柄支持部（５０）と、台部と柄支持部を連結する連結部（３０）と、連結部を台部に固定するための締付け部（４０）とを有し、締付け部は、ネジ溝が周設された軸部（４４）を有し、連結部は、軸部を挿通するための貫通穴（３２ａ）が設けられた第１板状部（３２）と、第１板状部から連設され、第１板状部に対して屈曲した第２板状部（３４）を有し、第１板状部の上面と第２板状部の上面は鈍角をなし、台部には、台部の上面側から軸部を螺合するためのネジ穴（１５ａ、１７ａ）が、台部の上面に対して垂直方向に設けられ、連結部が台部に取り付けられた状態では、軸部は、台部の上面に第１板状部の下面が接した状態で、第１板状部の貫通穴に上方から挿通されているとともに、台部のネジ穴に螺合され、柄支持部は、第２板状部の上面に対して着脱自在となっていることを特徴とする。
【００１１】
第１の構成のパラソルスタンドにおいては、第１板状部の上面と第２板状部の上面が鈍角をなし、柄支持部が台部のネジ穴の軸線に対して傾斜するので、鉛直方向に対して傾斜した軸を中心に移動していく太陽に対応して、容易にパラソルの向きを調整することができる。また、パラソルスタンドは、連結部を用いてパラソルを傾斜させる構成であるので、低コストで製造することが可能となる。
【００１２】
また、第２には、パラソルスタンドであって、台部（１０）と、パラソルの柄を支持する柄支持部（５０）と、台部と柄支持部を連結する連結部（３０）と、連結部を台部に固定するための締付け部（４０）とを有し、台部には、台部の上面から上方に突出した軸部でネジ溝が周設された軸部が、台部の上面に対して垂直方向に設けられ、連結部は、軸部を挿通するための貫通穴（３２ａ）が設けられた第１板状部（３２）と、第１板状部から連設され、第１板状部に対して屈曲した第２板状部（３４）を有し、第１板状部の上面と第２板状部の上面は鈍角をなし、締付け部には、軸部と螺合するためのネジ穴が設けられ、連結部が台部に取り付けられた状態では、軸部は、台部の上面に第１板状部の下面が接した状態で、第１板状部の貫通穴に下方から挿通されて第１板状部の上面から上方に突出しているとともに、締付け部が第１板状部の上側で軸部に螺合され、柄支持部は、第２板状部の上面に対して着脱自在となっていることを特徴とする。
【００１３】
第２の構成のパラソルスタンドにおいては、第１板状部の上面と第２板状部の上面が鈍角をなし、柄支持部が台部の軸部の軸線に対して傾斜するので、鉛直方向に対して傾斜した軸を中心に移動していく太陽に対応して、容易にパラソルの向きを調整することができる。また、パラソルスタンドは、連結部を用いてパラソルを傾斜させる構成であるので、低コストで製造することが可能となる。
【００１４】
また、第３には、上記第１又は第２の構成において、柄支持部は、柄支持部を第２板状部に固定するための第２軸部で、下方に突出するとともにネジ溝が周設された第２軸部（６０）を有し、連結部の第２板状部には、第２軸部が螺合する第２ネジ穴（３４ａ）が設けられ、第２ネジ穴の軸線（Ｊ３）は、第２板状部の上面に対して略直角に形成され、連結部が台部に取り付けられた状態では、第２ネジ穴の軸線は、台部の上面に対する垂直方向に対して傾斜していることを特徴とする。
【００１５】
また、第４には、上記第３の構成において、柄支持部は、柄を挿入するための柄挿入部（５２）を有し、柄挿入部に挿入された柄を柄挿入部に固定するための固定手段（５６、５７、７０、８０）が設けられ、上記第２軸部は、柄挿入部の下端から突出していることを特徴とする。
【００１６】
第４の構成のパラソルスタンドによれば、固定手段が設けられているので、パラソルの柄を柄挿入部に固定することができる。
【００１７】
なお、第５の構成として、以下の構成としてもよい。すなわち、上記第３の構成において、柄挿入部が、略筒状を呈する筒状ユニット（５４）と、筒状ユニットの下方の端部を閉鎖する端部構成部（５８）とを有し、固定手段が、筒状ユニットの外側から内側まで貫通する穴部でネジ溝が形成された穴部（５５ａ、５６ａ、５５ｂ、５７ａ）と、該穴部に螺合する第３軸部（７４、８４）を有する第２締付け部（７０、８０）を有し、柄が柄挿入部に挿入されるとともに、第２軸部が該穴部に螺合された状態で、第２締付け部を締め付けることにより、柄が柄挿入部に固定されることを特徴とするものとしてもよい。
【００１８】
また、第６の構成として、以下の構成としてもよい。すなわち、上記第１、第３から第５までのいずれかの構成において、台部が、第１台部構成部（１２）と第２台部構成部（２０）を有し、第１台部構成部は、細長の第３板状部（１３）と、第３板状部の上面に固定され、ネジ穴（１５ａ、１７ａ）が設けられた部材であるネジ穴形成部（１５、１７）を有し、第２台部構成部は、略細長長方形状の第４板状部（２２）と、第４板状部の両側の長手辺から連設された脚部で、第１台部構成部の第３板状部が第４板状部に対して直交した状態で配置するための切欠部（２５）が設けられた脚部（２４、２６）を有し、第４板状部の上面が、台部の上面として第１板状部の下面に接し、第４板状部には、第３板状部を第２台部構成部の一対の切欠部内に配置した状態で、ネジ穴形成部のネジ穴に対応する位置に第２貫通穴（２２ａ）が設けられ、締付け部の軸部が第２台部構成部の第２貫通穴に挿通された状態でネジ穴形成部のネジ穴に螺合されていることを特徴とするものとしてもよい。
【００１９】
また、第７の構成において、以下の構成としてもよい。すなわち、上記第２から第５までのいずれかの構成において、台部が、第１台部構成部（１２）と第２台部構成部（２０）を有し、第１台部構成部は、細長の第３板状部（１３）と、第３板状部の上面に固定され上方に突出した突出部で、ネジ溝が周設された第３軸部を有し、該第３軸部が第３板状部の上面に対して垂直方向に設けられた突出部を有し、第２台部構成部は、略細長長方形状の第４板状部（２２）と、第４板状部の両側の長手辺から連設された脚部で、第１台部構成部の第３板状部が第４板状部に対して直交した状態で配置するための切欠部（２５）が設けられた脚部（２４、２６）を有し、第４板状部の上面が、台部の上面として第１板状部の下面に接し、第４板状部には、第３板状部を第２台部構成部の一対の切欠部内に配置した状態で、第３軸部が挿通する第２貫通穴（２２ａ）が設けられ、第３軸部が第２台部構成部の第２貫通穴に挿通して第４板状部よりも上方に突出した状態で、締付け部が、第１板状部の上側で第３軸部に螺合されていることを特徴とするものとしてもよい。
【考案の効果】
【００２０】
本考案に基づく請求項１のパラソルスタンドによれば、第１板状部の上面と第２板状部の上面が鈍角をなし、柄支持部が台部のネジ穴の軸線に対して傾斜するので、鉛直方向に対して傾斜した軸を中心に移動していく太陽に対応して、容易にパラソルの向きを調整することができる。また、パラソルスタンドは、連結部を用いてパラソルを傾斜させる構成であるので、低コストで製造することが可能となる。
【００２１】
また、請求項２のパラソルスタンドによれば、第１板状部の上面と第２板状部の上面が鈍角をなし、柄支持部が台部の軸部の軸線に対して傾斜するので、鉛直方向に対して傾斜した軸を中心に移動していく太陽に対応して、容易にパラソルの向きを調整することができる。また、パラソルスタンドは、連結部を用いてパラソルを傾斜させる構成であるので、低コストで製造することが可能となる。
【図面の簡単な説明】
【００２２】
【図１】パラソルスタンドの斜視図である。
【図２】パラソルスタンドの分解斜視図である。
【図３】連結部を示す図であり、（ａ）は平面図であり、（ｂ）は正面図であり、（ｃ）は（ａ）のＡ−Ａ断面図である。
【考案を実施するための形態】
【００２３】
本考案においては、鉛直方向に対して傾斜した軸を中心に移動していく太陽に対応して、容易にパラソルの向きを調整することができ、かつ、簡易な構成で低コストで製造することができるパラソルスタンドを提供するという目的を以下のようにして実現した。
【００２４】
本考案に基づくパラソルスタンド５は、図１〜図３に示すように構成され、パラソルスタンド５は、台部１０と、台部１０の上面に回転可能に設けられる連結部３０と、連結部３０を台部１０に取り付けるための締付け部４０と、連結部３０に固定されるとともに、パラソルの柄を支持するための柄支持部５０を有している。パラソルスタンド５は、主として魚釣り用のパラソルを支持するためのパラソルスタンドである。
【００２５】
ここで、台部１０は、台部構成部１２と、台部構成部２０とを有し、台部構成部１２と台部構成部２０は互いに直角に直交した状態で設けられる。
【００２６】
台部構成部（第１台部構成部）１２は、細長の略板状を呈し、細長長方形状の板状を呈する板状部（第３板状部）１３と、板状部１３の長手方向の略中央の一方の面に固定された溶接ナット１５と、板状部１３の長手方向の一方の端部側の該一方の面に固定された溶接ナット１７とを有している。
【００２７】
板状部１３の他方の端部側（つまり、溶接ナット１７が設けられている側と反対側の端部側）には、円形の貫通穴（つまり、板状部１３の一方の面から他方の面に向けて貫通した穴）１４が設けられ、この貫通穴１４は、台部構成部１２を設置面に固定する際にネジや釘を挿通するのに用いられる。
【００２８】
溶接ナット（ネジ穴形成部）１５は、略直方体を呈し、ネジ穴１５ａが上側から下側に向けて（つまり、鉛直方向に）貫通して設けられている。ネジ穴１５ａには、締付け部４０の軸部４４が螺合される。なお、板状部１３におけるネジ穴１５ａの下側には、貫通穴が設けられ、締付け部４０の軸部４４が長い場合でも、板状部１３が邪魔にならないようになっている。溶接ナット１５は、板状部１３に溶接により固定されている。
【００２９】
溶接ナット（ネジ穴形成部）１７は、溶接ナット１７と同様の構成であり、ネジ穴１７ａが上側から下側に向けて貫通して設けられている。ネジ穴１７ａには、締付け部４０の軸部４４が螺合される。なお、板状部１３におけるネジ穴１７ａの下側には、貫通穴が設けられている。
【００３０】
板状部１３の一方の端部側には、溶接ナット１７に隣接して、円形の貫通穴（つまり、板状部１３の一方の面から他方の面に向けて貫通した穴）１９が設けられ、この貫通穴１９は、台部構成部１２を設置面に固定する際にネジや釘を挿通するのに用いられる。
【００３１】
次に、台部構成部（第２台部構成部）２０は、断面略逆Ｕ字状の細長の板状を呈し、略細長長方形状の板状部２２と、板状部２２の一方の長辺から連設された脚部２４と、板状部２２の他方の長辺から連設された脚部２６とを有している。
【００３２】
板状部（第４板状部）２２は、板状を呈し、長手方向の直線に沿って、上側から下側に貫通する貫通穴２２ａ、２２ｂ、２２ｃが間隔を介して設けられている。すなわち、貫通穴（第２貫通穴）２２ａは、板状部２２の長手方向の略中央に設けられ、略円形を呈している。貫通穴２２ｂは、板状部２２の一方の端部側に設けられ、貫通穴２２ｃは、板状部２２の他方の端部側に設けられ、貫通穴２２ｂ、２２ｃは、いずれも板状部２２の長手方向に伸びた長穴状を呈している。
【００３３】
板状部２２の上面２２−１は、台部１０の上面に当たり、平面状に形成され、板状部１３の上面における貫通穴２２ａの周囲の領域が、連結部３０を台部１０に取り付けた際に、連結部３０の第１板状部３２の下面が接する領域となる。
【００３４】
なお、台部１０を組み立てた状態（つまり、台部構成部２０と台部構成部１２に対して直角として、脚部２４、２６の切欠部２５等内に台部構成部１２を配置するとともに、ネジ穴１５ａ又はネジ穴１７ａの上側に貫通穴２２ａを配置した状態）では、ネジ穴１５ａの軸線Ｊ１やネジ穴１７ａの軸線は、上面２２−１に対して垂直方向となる。つまり、上面２２−１に対する垂直方向にネジ穴１５ａ、１７ａが形成されている。以上のようにして、台部１０には、台部１０の上面（つまり、上面２２−１）から軸部４４を螺合するためのネジ穴１５ａ、１７ａが上面２２−１に対して垂直方向に形成されている。
【００３５】
また、脚部２４は、板状部２２の長辺から下方に向けて湾曲する湾曲部２４ａと、湾曲部２４ａから連設され、板状部２２の方向に対して直角方向の細長板状をなす板状部２４ｂを有している。
【００３６】
脚部２４（具体的には、板状部２４ｂ）には、板状部１３を配置するための略細長長方形状の切欠部２５が設けられている。この切欠部２５は、板状部２４ｂの長手方向の略中央に設けられ、切欠部２５の長手方向の長さＬ２５と上下方向の長さＭ２５は、台部構成部２０に対して直交した板状部１３を配置できる長さに形成され、長さＬ２５は、板状部１３の短手方向の長さＬ１３以上の長さを有し、長さＭ２５は、板状部１３の厚みＭ１３以上の長さを有している。
【００３７】
また、脚部２６は、板状部２２の長辺から下方に向けて湾曲する湾曲部２６ａと、湾曲部２６ａから連設され、板状部２２の方向に対して直角方向の細長板状をなす板状部２６ｂを有している。
【００３８】
脚部２６（具体的には、板状部２６ｂ）には、板状部１３を配置するための略細長長方形状の切欠部（図示せず）が設けられている。この切欠部は、板状部２６ｂの長手方向の略中央に設けられ、切欠部２５と同様に構成され、該切欠部の長手方向の長さと上下方向の長さは、板状部１３を配置できる長さに形成されている。
【００３９】
次に、連結部３０は、板状部材を直線を介して鈍角に屈曲した形状を有し、第１板状部３２と、第１板状部３２に対して屈曲した第２板状部３４とを有している。つまり、連結部３０は、への字形状の板状を呈している。
【００４０】
すなわち、第１板状部３２は、方形状に半円形状を合わせた形状の板状を呈し（つまり、互いに平行な２つの直線からなる辺部と、２つの辺部に対して直角の辺部と、２つの辺部から連設された半円状の辺部を有した板状を呈している）、第１板状部３２の上側と下側の両側の面は平面状を呈し、互いに平行（略平行としてもよい）となっている。
【００４１】
第１板状部３２には、円形の貫通穴３２ａが設けられている。貫通穴３２ａは、第１板状部３２の幅方向の略中央となる位置に設けられている。この貫通穴３２ａには、締付け部４０の軸部４４が挿通される。
【００４２】
また、第２板状部３４は、第１板状部３２の辺部（直線状の辺部）３３から連設され、第１板状部３２の場合と同様に、方形状に半円形状を合わせた形状の板状を呈し（つまり、互いに平行な２つの直線からなる辺部と、２つの辺部に対して直角の辺部と、２つの辺部から連設された半円状の辺部を有した板状を呈している）、第２板状部３４の上側と下側の両側の面は平面状を呈し、互いに平行（略平行としてもよい）となっている。
【００４３】
第２板状部３４には、一方の面から他方に面に向けて貫通したネジ穴（第２ネジ穴）３４ａが設けられている。ネジ穴３４ａは、第２板状部３４の幅方向（互いに平行な２つの辺部に直角な方向）の略中央となる位置に設けられている。このネジ穴３４ａには、柄支持部５０の軸部６０が螺合される。
【００４４】
この第２板状部３４は、第１板状部３２に対して屈曲しており、具体的には、第１板状部３２の上面と第２板状部３４の上面がなす角度αは、鈍角（約１７０度）となっている。
【００４５】
なお、貫通穴３２ａの軸線Ｊ２は、第１板状部３２の上面に対して垂直方向であり、ネジ穴３４ａの軸線Ｊ３は、第２板状部３４の上面に対して垂直方向であり、２つの軸線がなす角度は、１８０−α度となる。
【００４６】
連結部３０を製造する際には、平板状の部材（貫通穴３２ａとネジ穴３４ａが設けられた部材）を折曲げ加工して製造する。
【００４７】
また、締付け部４０は、把手部（ノブ）４２と、把手部４２から連設された軸部４４とを有し、軸部４４には、ネジ溝が周設されている。この締付け部４０は、ノブボルトにより構成されている。締付け部４０の軸部４４を連結部３０の貫通穴３２ａに挿通した状態で、ネジ穴１５ａに螺合することにより、連結部３０が台部構成部２０の上面に固定される。
【００４８】
また、柄支持部５０は、本体部５２と、本体部５２の下端に固定され、柄支持部５０を第２板状部３４に取り付けるための軸部６０と、締付け部７０、８０を有している。
【００４９】
ここで、本体部（柄挿入部）５２は、パラソルの柄を挿入して保持するための部材であり、筒状ユニット５４と、端板部５８とを有し、筒状ユニット５４は、筒状部５５と、筒状部５５の外周面に固定されたナット５６、５７を有している。
【００５０】
筒状部５５は、円筒形状を呈し、内側の略円柱形状の空間はパラソルの柄を挿入可能な大きさに形成されている。また、筒状部５５の周面のナット５６、５７の位置には、ナット５６、５７のネジ穴に対応した位置に貫通穴５５ａ、５５ｂが形成されている。
【００５１】
ナット５６には、ネジ穴５６ａが設けられ、ナット５７には、ネジ穴５７ａが設けられている。締付け部７０、８０とナット５６、５７は、本体部５２に挿入された柄を本体部５２に固定するための固定手段として機能する。
【００５２】
また、端板部（端部構成部）５８は、筒状部５５の下端の開口を閉鎖するように、筒状部５５の下端に固定され、端板部５８の下面（外側の面）は平面状となっている。端板部５８は板状（略板状としてもよい）を呈し、筒状部５５の軸線（中心線）に対して直角をなしている。
【００５３】
また、軸部（第２軸部）６０は、端板部５８に固定して設けられ、端板部５８から下方に突出している。つまり、軸部６０は、本体部５２の下端から突出している。軸部６０の軸線Ｊ３は、端板部５８に対して直角であり、筒状部５５の軸線と一致している。これにより、軸部６０を第２板状部３４のネジ穴３４ａに螺合した状態では、筒状部５５の軸線は、第２板状部３４の上面に対して垂直となり、柄支持部５０に支持される柄も第２板状部３４の上面に対して垂直となる。
【００５４】
また、締付け部（第２締付け部）７０、８０は、締付け部４０と同様の構成である。つまり、締付け部７０は、把手部７２と軸部（第３軸部）７４を有し、締付け部８０は、把手部８２と軸部（第３軸部）８４を有し、軸部７４、８４には、ネジ溝が周設されている。
【００５５】
軸部７４は、ナット５６のネジ穴５６ａに螺合し、筒状部５５の貫通穴５５ａに挿通され、軸部８４は、ナット５７のネジ穴５７ａに螺合し、筒状部５５の貫通穴５５ｂに挿通される。パラソルの柄が筒状部５５に挿入された状態で、締付け部７０、８０を筒状ユニット５４に取り付けて、軸部７４、８４の先端が柄に接するまで締め付けることにより、柄が柄支持部５０に固定される。
【００５６】
ここで、ネジ穴５６ａ及び貫通穴５５ａとで、筒状ユニット５４の外側から内側まで貫通する穴部でネジ溝が形成された穴部が構成され、同様に、ネジ穴５７ａ及び貫通穴５５ｂとで、筒状ユニット５４の外側から内側まで貫通する穴部でネジ溝が形成された穴部が構成される。
【００５７】
なお、台部構成部１２、２０と、連結部３０と、柄支持部５０は、金属製であり、具体的には、ステンレス製である。
【００５８】
上記構成のパラソルスタンド５の使用方法について説明する。上記構成のパラソルスタンド５を組み立てるには、台部構成部１２の板状部１３を台部構成部２０の切欠部２５等内に配置して、台部構成部２０が台部構成部１２の長手方向の略中央の位置で直交した状態とし、連結部３０の第１板状部３２の下面（つまり、第２板状部３４が第１板状部３２に対して斜め上向きとなる状態における第１板状部３２の下側の面）が台部構成部２０の板状部２２の上面２２−１に接するとともに、貫通穴３２ａの位置と貫通穴２２ａの位置を合わせた状態で、締付け部４０の軸部４４を貫通穴３２ａに挿通して、ネジ穴１５ａに螺合して締め付ける。このようにして、連結部３０が台部１０に取り付けられる。その後、柄支持部５０の軸部６０を第２板状部３４のネジ穴３４ａに螺合して柄支持部５０を第２板状部３４に固定する。
【００５９】
なお、軸部４４をネジ穴１５ａに螺合するとしたが、ネジ穴１７ａに螺合させてもよい。すなわち、台部構成部２０が台部構成部１２の長手方向の溶接ナット１７側の端部位置で直交した状態とし、貫通穴３２ａの位置と貫通穴２２ａの位置を合わせた状態で、締付け部４０の軸部４４を貫通穴３２ａに挿通して、ネジ穴１７ａに螺合する。
【００６０】
パラソルスタンド５を設置面に固定するには、台部１０における貫通穴１４、１７、２２ｂ、２２ｃの少なくとも２つにネジや釘を挿通するとともに、該ネジや釘により設置面に固定する。
【００６１】
次に、パラソルを挿着する場合には、パラソルの柄を筒状部５５に挿入した後に、締付け部７０、８０により締め付けて、パラソルを柄支持部５０に固定する。
【００６２】
パラソルにより形成された日陰内で魚釣り等を行っている状態で、太陽が移動することにより、日陰が移動した場合には、連結部３０を台部１０（具体的には、台部構成部２０）に対して回転させることにより、パラソルの向きを移動させることができる。連結部３０を回転させるには、柄支持部５０が連結部３０に固定されているので、柄支持部５０をつかんで連結部３０を軸部４４を中心に回転させればよく、連結部３０が台部構成部２０に強固に固定されている場合には、締付け部４０の締付けを緩めた後に、連結部３０を回転させ、その後、締付け部４０を締め付けるようにしてもよい。
【００６３】
パラソルスタンド５は、上記のように構成され、第１板状部３２の上面と第２板状部３４の上面が鈍角をなし、軸線Ｊ３が軸線Ｊ１（つまり、台部１０の上面に対する垂直方向）に対して傾斜している（つまり、柄支持部５０が軸線Ｊ１に対して傾斜している）ので、鉛直方向に対して傾斜した軸を中心に移動していく太陽に対応して、容易にパラソルの向きを調整することができる。
【００６４】
また、本実施例のパラソルスタンド５は、連結部３０を用いてパラソルを傾斜させる構成であり、連結部３０をはじめ台部１０や柄支持部５０等複雑な構造を有するものは用いられないので、低コストで製造することが可能となる。
【００６５】
なお、第１板状部３２の上面と第２板状部３４の上面がなす角度αは、約１７０度としたが、これには限られず、例えば、１５０度〜１７５度の角度であってもよく、少なくとも鈍角であればよい。
【００６６】
また、上記の説明においては、台部１０は、上記のように２つの台部構成部１２、２０により構成されるとしたが、上記の構成でなくてもよく、台部の上面に、台部の上面側から軸部４４を螺合するためのネジ穴が台部の上面に対して垂直方向に設けられた構成であればよい。つまり、上面に第１板状部３２の下面が接するための平面が設けられた台部であって、該平面に軸部４４を螺合するためのネジ穴が設けられた構成であればよい。
【００６７】
また、上記の説明では、台部１０にネジ穴１５ａ、１７ａが設けられ、締付け部４０に軸部４４が設けられているとしたが、ネジ穴と軸部の関係を逆にしてもよい。すなわち、台部に、台部の上面から上方に突出した軸部でネジ溝が周設された軸部が、台部の上面に対して垂直方向に設けられ（例えば、溶接ナット１５、１７の代わりに、軸部を有するボルトをボルトの軸部の先端を上向きとして立設した状態で設ける）、締付け部には、ナットのように該軸部と螺合するネジ穴が設けられ、連結部が台部に取り付けられた状態では、軸部は、台部の上面に第１板状部３２の下面が接した状態で、第１板状部３２の貫通穴に下方から挿通されて第１板状部３２の上面から上方に突出しているとともに、締付け部が第１板状部３２の上側で軸部に螺合されて第１板状部３２の上面に接している構成としてもよい。
【００６８】
このように、ネジ穴と軸部の関係を逆にした場合でも、第１板状部３２の上面と第２板状部３４の上面が鈍角をなし、柄支持部５０（具体的には、ネジ穴３４ａの軸線Ｊ３）が台部の軸部の軸線（具体的には、軸線Ｊ１）に対して傾斜するので、鉛直方向に対して傾斜した軸を中心に移動していく太陽に対応して、容易にパラソルの向きを調整することができる。また、連結部３０を用いてパラソルを傾斜させる構成であるので、低コストで製造することが可能となる。
【符号の説明】
【００６９】
５  パラソルスタンド
１０  台部
１２  台部構成部
１３  板状部
１４  貫通穴
１５  溶接ナット
１５ａ  ネジ穴
１７  溶接ナット
１７ａ  ネジ穴
１９  貫通穴
２０  台部構成部
２２  板状部
２２−１  上面
２４  脚部
２４ａ  湾曲部
２４ｂ  板状部
２５  切欠部
２６  脚部
２６ａ  湾曲部
２６ｂ  板状部
２２ａ  貫通穴
２２ｂ  貫通穴
２２ｃ  貫通穴
３０  連結部
３２  第１板状部
３２ａ  貫通穴
３４  第２板状部
３４ａ  ネジ穴
４０  締付け部
４２  把手部
４４  軸部
５０  柄支持部
５２  本体部
５４  筒状ユニット
５５  筒状部
５５ａ  貫通穴
５５ｂ  貫通穴
５６  ナット
５６ａ  ネジ穴
５７  ナット
５７ａ  ネジ穴
５８  端板部
６０  軸部
７０  締付け部
７２  把手部
７４  軸部
８０  締付け部
８２  把手部
８４  軸部
Ｊ１  軸線
Ｊ２  軸線
Ｊ３  軸線
【図１】
0003231477.tif 000003
【図２】
0003231477.tif 000004
【図３】
0003231477.tif 000005